【事件の表示】
　商願２０００−１０６５１５拒絶査定不服審判事件について、次のとおり審決する。
【結　論】
　本件審判の請求は、成り立たない。
【理　由】
１　本願商標 
　本願商標は、「ＰＲＯＦＥＳＳＩＯＮＡＬ　ＷＯＲＫＳＴＡＴＩＯＮ」の欧文字を標準文字で書してなり、第９類及び第１５類に属する願書記載の商品を指定商品として、平成１２年９月２８日に登録出願されたものであるが、その後、指定商品については、同１４年２月１２日付けの手続補正書によって、第１５類「楽器，演奏補助品，音さ，調律機」と補正されたものである。
  　　
２　原査定における拒絶の理由
　原査定は、「本願商標は、『ＰＲＯＦＥＳＳＩＯＮＡＬ　ＷＯＲＫＳＴＡＴＩＯＮ』の欧文字を普通に用いられる方法で書してなるものであるが、本願指定商品との関係からすれば、その構成中の『ＰＲＯＦＥＳＳＩＯＮＡＬ』の文字は『プロ（職業として専門に行っている者）用の』の意味を持つ語として広く知られているものであり、また、『ＷＯＲＫＳＴＡＴＩＯＮ』の文字は『ワークステーション』、つまり、『作業端末』及び『キーボード、音源、エフェクター、シーケンサーが内蔵され、それ１台で音楽づくりを行うことができる環境を整えた楽器』を想起させるものであって、それらの語を一連に書してなる本願商標からは、『プロ用のワークステーション』を容易に想起させるものであるから、これを本願指定商品中、上記文字に照応する事項を内容とする商品に使用する場合は、単にその商品の品質（内容）を表示するにすぎないものと認める。したがって、本願商標は、商標法第３条第１項第３号に該当し、前記商品以外の商品に使用するときは商品の品質の誤認を生じさせるおそれがあるので、同法第４条第１項第１６号に該当する。」旨認定、判断し、本願を拒絶したものである。
                            　　　
３　当審の判断
　本願商標は、前記のとおりの構成よりなるところ、その構成中の「ＰＲＯＦＥＳＳＩＯＮＡＬ」の文字は、「専門職業の、職業的な、本職の、玄人の、本職にふさわしい、専門家的な」（「研究社　新英和大辞典」２００２年３月）、「職業的な、本職［玄人、プロ］の、専門家［職業、商］用の、専門家向きの」（「小学館　ランダムハウス英和大辞典」２００２年１月１０日）等を意味する語として一般に親しまれているところである。
　さらに、例えば該「ＰＲＯＦＥＳＳＩＯＮＡＬ」を片仮名文字で表示した「プロフェッショナル」について楽器との関係をみると、インターネットの情報において以下のような記載が認められる。
　　
（１）「Ｒｏｌａｎｄ製品カタログ　ＸＶ‐８８」の見出しのもと、「ＸＶ‐８８は、新シンセサイザー・エンジン搭載、８８鍵ハンマー・アクション鍵盤を採用したプロフェッショナル・シンセサイザーです。」（http://www.roland.co.jp/products/mi/XV-88.html）
（２）「ＫＯＲＧ　株式会社コルグ　ＳＰ‐５００：サウンド」の見出しのもと、「プロ・ミュージシャンが選ぶ、ＫＯＲＧブランドのピアノ・サウンドを搭載　シンセサイザー、プロ用ステージ・ピアノなど、コルグのサウンド・クオリティは、世界中のプロ・ミュージシャンが絶賛しています。ＳＰ‐５００にはそのプロフェッショナル・モデルと同様の音を内蔵。（中略）アンサンブルもゴージャスにできる、豊富な音色。　コルグのプロフェッショナル・シンセサイザーにも搭載されている音色を３９６プログラム内蔵。」（http://www.korg.co.jp/Product/DigitalPiano/SP-500/sound.html）
（３）「楽器堂管楽器専門ショップ」の見出しのもと、「手頃な価格ながら豊潤で力強い響きを生み出し、人間工学に基づくキー設計、上管接合部の金属テノン他の新機構を採用したプロフェッショナル用。クラリネットの最新モデルです！」（http://www.gakkido.jp/Wind-instrument/clarinet/selmer-soprano-b-flat.html）
（４）「商品ブラウズ ヴィオラ 弓 商品」の見出しのもと、「プロフェッショナルにコンサートホールで使用して頂ける作品です。」（http://shop.fstrings.com/bow.asp?id=223AT021）
　　
　そうすると、該「ＰＲＯＦＥＳＳＩＯＮＡＬ」の文字は、楽器との関係においては、「プロフェッショナル用の楽器」、「プロフェショナルが求めるような（高品質の）楽器」等の意味合いを容易に理解、認識させるとみるのが相当である。
　次に、例えば前記「ＰＲＯＦＥＳＳＩＯＮＡＬ」に続く「ＷＯＲＫＳＴＡＴＩＯＮ」又はこれを片仮名文字で表示した「ワークステーション」について楽器との関係をみると、書籍及びインターネットの各情報において以下のような記載が認められる。
　　　
（５）「ワークステーションという楽器」の大見出しのもと、「今では、シンセサイザーの代名詞と言ってもいいほど身近な言葉になった“ワークステーション”だが、キミはどれだけ、ワークステーションについて理解しているだろうか。」。「ワークステーションっていったい何だろう」の小見出しのもと、「一般的には『キーボード・タイプのシンセサイザーにシーケンサーとエフェクトが内蔵され、１台で音楽作りが行なえる環境を整えた機器（楽器）』という意味で使われることが多いので、ここでもそれに倣って話を進めていくことにしよう。（中略）まずはじめは、ワークステーションとはどういう楽器／機器なのかについて、簡単に整理しておこう。ワークステーションに含まれるさまざまなブロックであるキーボード、音源、シーケンサー、エフェクターなどは、いずれも単独の機器としても存在しているし、ＭＩＤＩを使えば簡単にシステム化できる。」。「ワークステーションが生まれた背景」の小見出しのもと、「現在では、ワークステーションもすっかり楽器のひとつのジャンルとして定着しているが、ワークステーションが登場してきた背景には、実にいろいろな要素がある。」（「Ｋｅｙｂｏａｒｄ　ｍａｇａｚｉｎｅ」１９９５年６月号　３２頁　株式会社リットーミュージック　平成７年６月１日）
（６）「ワークステーション」の見出しのもと、「ワークステーションは、シンセサイザーとシーケンサの機能を１つのユニットにまとめたものだ。オールインワンタイプのシンセサイザーなどと呼ばれることもある。外観はシンセとほとんど同じで、シンセについて説明したことはすべてワークステーションにも当てはまる。内蔵されているシーケンサは、そのワークステーションの内蔵音色だけでなく、外部音源用のデータをレコーディングしたり、外部音源を使って再生したりすることもできる。ただし、シーケンサのメモリ容量や使いやすさは調べておいた方がよい。また、長時間作業することになるため、画面の大きさや見やすさはとくに重要なポイントになる。簡単なサンプリング機能（中略）を内蔵したワークステーションもある。サンプリングも取り入れたいのなら、ワークステーションと単体のサンプラー専用機をよく比較してみよう。シーケンサを選択するときと同じで、目的に合ったものを選ぶようにしよう。」（「ＭＩＤＩプログラミング　音楽をコンピュータで作る」２４頁　株式会社プレンティスホール出版　１９９７年８月１５日）
（７）「ワークステーション　ｗｏｒｋｓｔａｔｉｏｎ」の見出しのもと、「複数の機能が１台に統合されていて、それだけで音楽制作ができる最小の環境を実現したマシンのことです。たとえば、ワークステーション型シンセサイザーは、１台のシンセの中に音源、シーケンサー、エフェクターなどがひととおり組み込まれています。ＤＴＭ環境特有の複雑な配線や、めんどうなセッティングが必要なく、１台で完結することもできるので、ＤＴＭ初心者には有効な選択肢のひとつです。オール・イン・ワン（ａｌｌ　ｉｎ　ｏｎｅ）ともいわれ、最近ではハードディスク・レコーダーの機能も含むシンセサイザーなども登場しています。」（「デジタル・ミュージックの基礎用語」１５２頁　株式会社音楽之友社　２００３年８月３１日）
（８）「シーケンサーってなに？　Ｐａｒｔ４‐ワークステーション革命‐」の見出しのもと、「デジタル・シンセも各メーカーが挙げて新製品を投入する中で、１９８８年５月コルグのワークステーション・シンセＭ１の登場によって従来のデジタル機材環境が大きく変貌を遂げることとなりました。ワークステーション革命です。それまではシンセ、音源、シーケンサー、リズムマシン、エフェクターと各役割を担った専用機を複数取り揃えて楽曲制作に臨んでいました。しかしワークステーション・シンセではそれら全ての機能が一台のシンセに取り込まれてしまったのです。別名オール・イン・ワン・シンセとも呼ばれていました。一台のシンセに全て詰まってるってことですね。しかも最近のモデルではサンプラーやハードディスク、ＣＤ／ＲＷドライブまで搭載されているものまであって、最終的にＣＤ製作までがワークステーション・シンセ一台で完了してしまうのです。 」（http://www.saikyo.jp/mac/midi/mmc/mmc03.html）
（９）「ＨＯＥＩ　ＳＡＮＧＹＯ　報映産業株式会社　Ｐｒｏｄｕｃｔｓ製品情報」の見出しのもと、「ＰｒｏＴｏｏｌｓは、音楽やポストプロダクション、ブロードキャスト、マルチメディアのプロフェッショナルから選択されるデジタル・オーディオ・ワークステーションです。デジタル・レコーディング／エディティング／ミキシング／プロセッシング機能により、アーティストやプロデューサーの作業を劇的に変化させてきました。」（http://www.hoei.co.jp/japan/product/digidesign/protools.html）
（１０）「楽器館　コグレレコード」の見出しのもと、「■ワークステーション・シンセサイザー　音源・鍵盤そしてサンプラー等をオールインワン。ここで全てが完成するワークステーション」（http://www.rakuten.co.jp/koguregakki/431190/）
（１１）「ローランド、ＤＴＭ製品やワークステーションなど春の新製品を多数発表」の見出しのもと、「同社が大きなシェアを持つＨＤＤを使ったワークステーションにも新製品が登場した。」（http://ascii24.com/news/i/hard/article/2000/02/23/607282-000.html）
（１２）「カワイの製品」の見出しのもと、「●曲を作るためのワークステーションの理想形　曲を作るための、鍵盤、音源、シーケンサーを組み合わせた楽器がワークステーションです。」（http://www.kawai.co.jp/emi/k5000w.html）
（１３）「ＶＳＴ　Ｓｙｓｔｅｍ　Ｌｉｎｋ　主な用途」の見出しのもと、「ポストプロダクション　ポストプロダクションでは、複数のエンジニアやプロデューサーが、１つのプロジェクトの別々の部分を作業することができます。例えば、あるワークステーションでは効果音の割付を、別のワークステーションでは台詞の編集を、もう１つのワークステーションではＢＧＭの作業を、それぞれ同時に行うことができるのです。各ワークステーションのオーディオは、ＶＳＴ　Ｓｙｓｔｅｍ　Ｌｉｎｋの同期プロトコルによってタイムロックされ、マスターミキシングコンソールへ送ることができます。（中略）レコーディング　音楽のレコーディングでは、１つのワークステーションをレコーダーとして使用し、別のワークステーションをＶＳＴインストゥルメント専用マシンとして使用することができます。」（http://www.japan.steinberg.net/technology/vsl2.html）
　　　
　そうすると、該「ＷＯＲＫＳＴＡＴＩＯＮ」の文字は、楽器との関係においては、「キーボード・タイプのシンセサイザーにシーケンサーとエフェクトが内蔵され、１台で音楽作りが行える環境を整えた機器（楽器）」、「複数の機能が１台に統合されていて、それだけで音楽制作ができる最小の環境を実現した機器（楽器）」等の意味合いを容易に理解、認識させるとみるのが相当である。
　以上からすれば、「ＰＲＯＦＥＳＳＩＯＮＡＬ」の文字と「ＷＯＲＫＳＴＡＴＩＯＮ」の文字とを一文字分程度の間隔を空けて書してなる本願商標は、その指定商品中の楽器との関係においては、「プロフェッショナル用の（プロフェッショナルが求めるような（高品質の））もので、キーボード・タイプのシンセサイザーにシーケンサーとエフェクトが内蔵され、１台で音楽作りが行える環境を整えた機器（楽器）」、「プロフェッショナル用の（プロフェッショナルが求めるような（高品質の））もので、複数の機能が１台に統合されていて、それだけで音楽制作ができる最小の環境を実現した機器（楽器）」等の意味合いを容易に理解、認識させるとみるのが相当である。
　してみると、本願商標をその指定商品中の前記文字に照応する「楽器」に使用するときは、これに接する取引者、需要者は、商品の品質・用途を表示したものと直ちに理解、認識するというべきであり、自他商品の識別標識としての機能を果たし得ず、また、前記「楽器」以外の「楽器，演奏補助品，音さ，調律機」に使用するときは、商品の品質について誤認を生じさせるおそれがあるものといわなければならない。
　したがって、本願商標が商標法第３条第１項第３号及び同法第４条第１項第１６号に該当するとして、本願を拒絶した原査定は妥当であって、取り消すことはできない。
　なお、請求人は、過去の登録例を挙げて、本願商標も登録されるべきである旨を主張しているが、これらの登録例は、本願とは事案を異にするものであるから、請求人の主張は採用することができない。
　よって、結論のとおり審決する。